Podtech/llm-jp-corpus-v4-ja_patent huggingface dataset:
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
消去不可能、書き換え不可能な、データ・ストレージ・メディアと、
生成鍵を提供するための鍵生成コンポーネントと、
前記消去不可能、書き換え不可能なデータ・ストレージ・メディアの一部に暗号化データを書き込むために前記生成鍵を使用するための、暗号化書き込みコンポーネントと、
前記生成鍵を別の消去可能ストレージ・メディア内に格納するための鍵格納コンポーネントと、
前記生成鍵を削除するための、鍵削除コンポーネントと、
を備える、データを格納するため、および、前記データを選択的に計算上取り出し不可能にするための、装置。
【請求項２】
前記別の消去可能ストレージ・メディアが電子デバイスを備える、請求項１に記載の装置。
【請求項３】
前記電子デバイスが無線周波数識別タグを備える、請求項２に記載の装置。
【請求項４】
前記データ・ストレージ・メディアがＷＯＲＭテープを備える、請求項１から３のいずれか一項に記載の装置。
【請求項５】
前記暗号化書き込みコンポーネントが、前記暗号化データを書き込むための片方向機能を備えるアルゴリズムと共に前記生成鍵を使用する、請求項１から４のいずれか一項に記載の装置。
【請求項６】
前記暗号化書き込みコンポーネントが、前記暗号化データを書き込むためにＡＥＳアルゴリズムを使用する、請求項５に記載の装置。
【請求項７】
鍵生成コンポーネントによって生成鍵を提供するステップと、
暗号化書き込みコンポーネントによって、消去不可能、書き換え不可能なデータ・ストレージ・メディアの一部に暗号化データを書き込むために前記生成鍵を使用するステップと、
鍵格納コンポーネントによって前記生成鍵を別の消去可能ストレージ・メディア内に格納するステップと、
鍵削除コンポーネントによって前記生成鍵を削除するステップと、
を備える、データを格納するため、および、前記データを選択的に計算上取り出し不可能にするための、方法。
【請求項８】
コンピュータにロードされ、そこで実行された場合、請求項７に記載の方法のすべてのステップを前記コンピュータに実行させるための、コンピュータ・プログラム・コード手段を備えるプログラム。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
複数のコンポーネントを含む計算システムにおいてコンディションを解決する方法であって、前記方法は、
第１コンポーネントにより、前記コンディションを認めることと、
前記第１コンポーネントにより、前記コンディションに対するレスポンスについての方策の責任を第２コンポーネントに委任することと、
を含む、前記方法。
【請求項２】
前記コンディションは、スパム通信、コンピュータ・ウィルス、インターネット・プロトコル・アドレス衝突、サービス・アタックの拒否、不適切に設定されたコンポーネント、及び不適切にパッチされたコンポーネントのうちの少なくとも１つである、請求項１の方法。
【請求項３】
前記認めることは、
前記コンディションの存在を示すコンディション通知を前記第１コンポーネントにより受け取ること、
を含む、請求項１の方法。
【請求項４】
前記コンディション通知は、前記コンディションを引き起こしたコンポーネントから受け取られる、請求項３の方法。
【請求項５】
前記委任することは、
前記複数のコンポーネントの中から前記第２コンポーネントを選択することと、
前記選択を前記第２コンポーネントに知らせる委任通知を前記第１コンポーネントにより前記第２コンポーネントに送ることと、
を含む、請求項１の方法。
【請求項６】
前記委任通知は前記コンディションの性質の記述を更に含む、請求項５の方法。
【請求項７】
前記第２コンポーネントは、前記コンディションを引き起こしたコンピュータを管理制御する、請求項１の方法。
【請求項８】
前記第１コンポーネントは前記責任を委任するように許可されている、請求項１の方法。
【請求項９】
前記コンディションの状態を示すレスポンスを前記第２コンポーネントから前記第１コンポーネントにより受け取ること、
を更に含む、請求項１の方法。
【請求項１０】
前記レスポンスは、前記コンディションが前記第２コンポーネントにより解決されたか否かを示す、請求項９の方法。
【請求項１１】
前記第２コンポーネントが前記コンディションを解決していないことを前記レスポンスが示すならば、前記コンディションを前記第１コンポーネントにより解決すること、
を更に含む、請求項１０の方法。
【請求項１２】
前記レスポンスの細目は前記第２コンポーネントにより決定されるように残される、請求項１の方法。
【請求項１３】
複数のコンポーネントを含むコンピュータ・システムにおいてコンディションを解決するためのプログラムであって
第１コンポーネントにより、前記コンディションを認めるステップと、
前記第１コンポーネントにより、前記コンディションに対するレスポンスについての方策の責任を第２コンポーネントに委任するステップと、
をコンピュータに実行させる、プログラム。
【請求項１４】
複数のコンポーネントを含む計算システムにおいてコンディションを解決するための装置であって、前記装置は、
第１コンポーネントにより、前記コンディションを認めるための手段と、
前記第１コンポーネントにより、前記コンディションに対するレスポンスについての方策の責任を第２コンポーネントに委任するための手段と、
を含む、前記装置。
【請求項１５】
複数のコンポーネントを含む計算システムにおいてコンディションを解決する方法であって、前記方法は、
第１コンポーネントにより、前記コンディションに対するレスポンスについての方策の責任を前記第１コンポーネントに委任する譲渡証を第２コンポーネントから受け取ることと、
前記第１コンポーネントが前記コンディションに応答しようとするか否かを判定することと、
を含む、前記方法。
【請求項１６】
前記譲渡証は前記コンディションの性質の記述を含む委任通知である、請求項１５の方法。
【請求項１７】
前記第２コンポーネントは前記責任を委任するように許可されている、請求項１５の方法。
【請求項１８】
前記判定することは、
前記コンディションを解決するために執るべき適切な処置を決定することと、
前記適切な処置に従って前記コンディションを解決することと、
を含む、請求項１５の方法。
【請求項１９】
前記第１コンポーネントにより、前記コンディションの状態を示すレスポンスを前記第２コンポーネントに送ること、
を更に含む、請求項１５の方法。
【請求項２０】
複数のコンポーネントを含む計算システムにおいてコンディションを解決するためのプログラムであって、
第１コンポーネントにより、前記コンディションに対するレスポンスについての方策の責任を前記第１コンポーネントに委任する譲渡証を第２コンポーネントから受け取るステップと、
前記第１コンポーネントが前記コンディションに応答しようとするか否かを判定するステップと、
を前記計算システムに実行させる、プログラム。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
雑音が低減された音声信号の一部分を表す雑音低減値（ｎｏｉｓｅ−ｒｅｄｕｃｅｄ  ｖａｌｕｅ）についての推定値を決定する方法であって、
気導マイクロフォン以外の代替センサを使用して、代替センサ信号を生成するステップと、
気導マイクロフォン信号を生成するステップと、
前記代替センサ信号のチャネル応答についての値を推定するために、前記代替センサ信号、および前記気導マイクロフォン信号を使用するステップと、
前記雑音低減値を推定するために、前記チャネル応答、および前記雑音低減値の事前確率分布を使用するステップとを備えることを特徴とする方法。
【請求項２】
前記雑音低減値の前記事前確率分布は、分散によって定義されることを特徴とする請求項１に記載の方法。
【請求項３】
前記気導マイクロフォン信号に基づいて、前記分布の前記分散を決定するステップをさらに備えることを特徴とする請求項２に記載の方法。
【請求項４】
前記気導マイクロフォン信号に基づいて前記分散を決定するステップは、前記気導マイクロフォン信号のフレームについてのエネルギー値の総和を形成するステップを含むことを特徴とする請求項３に記載の方法。
【請求項５】
前記気導マイクロフォン信号の前記フレームはすべて、音声を含むことを特徴とする請求項４に記載の方法。
【請求項６】
前記分布の前記分散を決定するステップは、周囲雑音の分散に基づいて前記分散を決定するステップをさらに含むことを特徴とする請求項３に記載の方法。
【請求項７】
前記分布の前記分散を決定するステップは、前記気導マイクロフォン信号の現在のフレームに基づく前記雑音低減音声信号の現在のフレームに関連付けられている分散、および前記雑音低減音声信号の前のフレームに関連付けられている前記分布の分散を決定するステップをさらに含むことを特徴とする請求項６に記載の方法。
【請求項８】
前記分布の前記分散を決定するステップは、前記分散がある最低値を常に超えるように前記分散の前記値を制限するステップをさらに含むことを特徴とする請求項７に記載の方法。
【請求項９】
前記最低値は、前記周囲雑音の前記分散に対する百分率（パーセンテージ）で示されることを特徴とする請求項８に記載の方法。
【請求項１０】
代替センサ信号および気導マイクロフォン信号を使用して、代替センサについてのチャネル応答を決定するステップと、
前記気導マイクロフォン信号に基づいて、クリーン音声値の事前確率分布の分散を決定するステップと、
クリーン音声値を推定するために、前記チャネル応答、およびクリーン音声値の前記事前確率分布の前記分散を使用するステップと
を含むステップを実施するためのコンピュータ実行可能命令を備えることを特徴とするコンピュータ可読記憶媒体。
【請求項１１】
前記事前確率分布の前記分散を使用するステップは、周囲雑音の分布に基づいて、前記事前確率分布の分散を決定するステップをさらに含むことを特徴とする請求項１０に記載のコンピュータ可読記憶媒体。
【請求項１２】
前記気導マイクロフォン信号に基づいて前記事前確率分布の前記分散を決定するステップは、前記気導マイクロフォン信号のフレームについてのエネルギー値の総和を形成するステップを含むことを特徴とする請求項１１に記載のコンピュータ可読記憶媒体。
【請求項１３】
前記事前確率分布の前記分散を決定するステップは、前のクリーン音声値に関連付けられている事前確率分布の分散に基づいて、現在のクリーン音声値に関連付けられている前記事前確率分布の分散を決定するステップをさらに含むことを特徴とする請求項１１に記載のコンピュータ可読記憶媒体。
【請求項１４】
前記事前確率分布の前記分散を決定するステップは、前のクリーン音声値に関連付けられている事前確率分布の前記分散、および前記気導マイクロフォン信号のフレームの前記エネルギーと周囲雑音の前記分布の前記分散との差の加重総和を取るステップをさらに含むことを特徴とする請求項１３に記載のコンピュータ可読記憶媒体。
【請求項１５】
前記事前確率分布の前記分散を決定するステップは、前記事前確率分布の前記分散の最低値を設定するステップをさらに含むことを特徴とする請求項１０に記載のコンピュータ可読記憶媒体。
【請求項１６】
前記分散の前記最低値は、周囲雑音の分布の分散に応じて決まることを特徴とする請求項１５に記載のコンピュータ可読記憶媒体。
【請求項１７】
クリーン音声信号のクリーン音声値を識別する方法であって、
周囲雑音に対する代替センサのチャネル応答を決定するステップと、
気導マイクロフォン信号の値からクリーン音声値の事前確率分布のパラメータを決定するステップと、
クリーン音声値を決定するために、前記チャネル応答、およびクリーン音声値の事前確率分布を使用するステップとを備えることを特徴とする方法。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
回路の表現をコンパイルする段階と、
トリガのために１つ又はそれ以上の信号を選択する段階と、
トリガロジックを前記回路に挿入する段階と、
複製のために前記回路の表現の一部分を選択する段階と、
前記回路の選択部分を複製する段階と、
遅延ロジックを挿入して、前記回路の複製部分への入力を遅延させる段階と、
前記回路の表現を再コンパイルする段階と、
前記トリガ信号の１つ又はそれ以上を選択する段階と、
選択された各トリガ信号の１つ又はそれ以上の状態を設定して、トリガ条件をセットアップする段階と、
前記トリガ条件が発生したときに、前記回路の複製部分における１つ又はそれ以上のレジスタの１つ又はそれ以上の状態と、前記トリガ条件をもたらしたステップのシーケンスとを記録する段階と、
を含む方法。
【請求項２】
複数のロジック要素と、
前記ロジック要素の１つ又はそれ以上の複製と、
前記回路の複製部分への入力を遅延させるために、前記回路の複製部分に結合された遅延ロジックと、
トリガ条件のセットアップを可能にするために前記回路の複製部分に結合されたトリガロジックと、
前記トリガ条件が発生したときに前記回路の複製部分の実行を一時停止することができるように、前記回路の複製部分に結合されたクロック制御ロジックと、
を備える集積回路。
【請求項３】
マシンによってアクセスされるときに、
回路の表現をコンパイルする段階と、
トリガのために１つ又はそれ以上の信号を選択する段階と、
トリガロジックを前記回路に挿入する段階と、
複製のために前記回路の表現の一部分を選択する段階と、
前記回路の選択部分を複製する段階と、
遅延ロジックを挿入して前記回路の複製部分への入力を遅延させる段階と、
前記回路の表現を再コンパイルする段階と、
前記トリガ信号の１つ又はそれ以上を選択する段階と、
選択された各トリガ信号の１つ又はそれ以上の状態を設定して、トリガ条件をセットアップする段階と、
前記トリガ条件が発生したときに、前記回路の複製部分における１つ又はそれ以上のレジスタの１つ又はそれ以上の状態と、前記トリガ条件をもたらしたステップのシーケンスとを記録する段階と、
を含む動作を前記マシンに実行させるコンテンツを含むマシンアクセス可能媒体を備えた製品。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
ボアスコープおよび内視鏡デバイスの挿入チューブを格納するための装置であって、前記装置が、
ベースの内部表面および周縁バリアの内部表面を含む、少なくとも１つの内部表面によって画定された回転自在な空洞であって、前記回転自在な空洞が、回転軸の周りに回転するように構成され、かつ近端部および遠端部を有する挿入チューブの格納に対処するように構成されており、かつ前記格納が、前記挿入チューブと格納カルーセルの間の物理的な取付けなしで行われ、かつ前記格納カルーセルが、前記空洞の外側に前記近端部が配置される一方、前記挿入チューブの残りの部分が前記空洞の内部に格納されることを可能にするように構成されている回転自在な空洞を備え、かつ
枢動軸に対する機械的な支持を提供し、かつ挿入ポートを備え、かつ前記挿入チューブを前記回転自在な空洞に向かうまたはそれから遠ざかるいずれかの移送をガイドするように構成された枠を備える、
格納カルーセルを備え、かつ、
前記少なくとも１つの内部表面が、物理的な接触を生じさせ、かつ、前記回転自在な空洞に向かうまたはそれから遠ざかる前記挿入チューブの前記移送が、前記回転自在な空洞を回転させるように、前記挿入チューブと前記少なくとも１つの内部表面の間に摩擦力を発生させるように構成されている
装置。
【請求項２】
前記回転自在な空洞が円錐形形状であり、かつ前記円錐形形状の前記回転自在な空洞が、前記ベースにより近接して配置されたより大きな直径、および前記ベースにそれよりも近接しないで配置されたより小さな直径を有する請求項１記載の装置。
【請求項３】
ボアスコープおよび内視鏡の挿入チューブを格納するための装置であって、
ベース、周縁バリアおよび回転自在な空洞を備える格納カルーセルを備え、
前記回転自在な空洞が、回転軸の周りに回転するように構成され、かつ挿入チューブの格納に対処するように構成された、ベースの内部表面および周縁バリアの内部表面のうちの少なくとも一方を含む少なくとも１つの内部表面によって画定され、
前記少なくとも１つの内部表面が、近端部と遠端部の両方を有する前記挿入チューブとの物理的な接触をさせるように構成され、前記回転自在な空洞が、円錐形形状であり、かつ前記円錐形形状の前記回転自在な空洞が、前記ベースにより近接して配置されたより大きな直径、および前記ベースにあまり近接せずに配置されたより小さな直径を有する、装置。
【請求項４】
方向角を有し、かつ前記回転自在な空洞に向かう、またはそれから離れる方向への前記挿入チューブの移送をガイドするように構成され、かつ方向付けられている挿入ポートを備える、請求項３記載の装置。
【請求項５】
ボアスコープおよび内視鏡の挿入チューブを格納するための装置であって、前記装置が、
回転自在な空洞および回転軸を有する格納カルーセルを備え、
前記回転自在な空洞が、ベースの内部表面および周縁バリアの内部表面を含む、少なくとも１つの内部表面によって画定され、かつ前記回転自在な空洞が、回転軸の周りに回転するように構成され、挿入チューブの格納に対処するように構成されており、かつ、
前記ベースが、角度を付けられたベースあり、前記角度を付けられたベースが、前記ベースの前記内部表面と前記周縁バリアの前記内部表面の交点で鋭角を形成するように構成され、かつ前記鋭角が、前記挿入チューブを受けて前記挿入チューブと物理的に接触させ、前記内部表面のうちの少なくとも１つと前記挿入チューブとの間の摩擦接触を強化するように、構成されている、
装置。
【請求項６】
前記回転自在な空洞の前記少なくとも１つの内部表面が、前記挿入チューブの前記回転自在な空洞への、またはそこからの移送が、前記格納カルーセルを回転させるように前記挿入チューブと前記少なくとも１つの内部表面の間に摩擦接触を生じさせるように構成されている、請求項５記載の装置。
【請求項７】
ユーザからの命令を入力するために構成されたハンドセット、および前記ユーザに情報を通信するために構成されたディスプレイ、
前記ハンドセットに取付け可能である遠端部および近端部を備える挿入チューブであって、前記挿入チューブが、前記遠端部の周囲の領域から画像を照射するようにおよび捕捉するように構成されている、挿入チューブ、
挿入ポートに隣接する回転自在な空洞を備える格納カルーセルであって、前記回転自在な空洞が、少なくとも１つの内部表面を集約的に有する周縁バリアおよびベースによって包囲され、前記挿入チューブが、前記挿入ポートを介して前記回転自在な空洞からまたはそこへ移送されるとき、前記少なくとも１つの内部表面が、前記挿入チューブとの摩擦接触を生じさせるように構成されており、前記回転自在な空洞が、前記挿入チューブが移送されている方向に回転軸の周りを回転するように、前記摩擦接触が前記少なくとも１つの内部表面上に摩擦力を発生させる、格納カルーセル
を備える、遠隔視覚用途のためのビデオボアスコープシステム。
【請求項８】
細長い可撓性の物体を格納するための装置であって、前記装置が、
ベース、周縁バリアおよび回転軸を備える格納カルーセルを備え、前記ベースが、前記回転軸と交差する少なくとも１つの内部表面を実質上画定し、前記周縁バリアが、前記回転軸を包囲する円錐形状にされた内部表面を有し、
前記ベースの前記内部表面、および前記周縁バリアの前記内部表面によって画定されている回転自在な空洞を備え、前記格納カルーセルが、前記回転軸の周りを回転するように構成され、かつ前記回転自在な空洞が、前記周縁バリアの前記内部表面および前記ベースの前記内部表面のうちの少なくとも１つに沿って配置された細長い可撓性の物体の格納に対処するように構成され、前記細長い可撓性の物体が、近端部および遠端部の両方を有し、
前記格納カルーセルが、円錐形形状の周縁バリアを備え、前記円錐形形状の周縁バリアが、前記ベースに近接して配置されたより大きな内直径、および前記ベースから離れて配置されたより小さな内／直径を有する内部表面を備える、
装置。
【請求項９】
回転軸の周りに回転自在であり、かつ少なくとも１つの内部表面によって画定されている回転自在な空洞を提供するステップ、
挿入チューブの遠端部を挿入ポートを通って前記空洞内に移送するステップ、
前記空洞を前記挿入チューブの一部分と、前記少なくとも１つの内部表の間の物理的な接触から生じる摩擦力を介して回転させるステップ、
前記空洞のさらなる回転を生じさせるため、および前記挿入チューブの近端部が前記挿入ポートに近接して配置されるように、
前記空洞内の前記挿入チューブのかなりの部分の格納を生じさせるために、前記空洞のさらに中へ前記挿入チューブ移送するステップを含む、
格納デバイスの内部に内視鏡の挿入チューブを格納する方法。
【請求項１０】
前記少なくとも１つの内部表面が、ベースの内部表面および周縁バリアの内部表面を含み、かつ前記ベースが、鋭角が前記ベースの前記内部表面と前記周縁バリアの前記内部表面との交点に隣接して画定された、角度を付けられたベースであり、かつ前記鋭角が、前記挿入チューブを受けて前記挿入チューブと物理的に接触させ、かつ少なくとも１つの前記内部表面と前記挿入チューブとの間の前記摩擦接触を強化するように、構成されている、請求項９記載の方法。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
第１の筐体部分（１０２、１１０）と、
第２の筐体部分（１０６）であって、前記第１の筐体（１０２、１１０）が閉位置と開位置との間で該第２の筐体部分（１０６）に対して摺動するように前記第１の筐体部分（１０２、１１０）に摺動自在に結合され、前記第１の筐体部分（１０２、１１０）が閉位置から開位置へ動かされることにより、前記第１の筐体部分（１０２、１１０）が閉位置にある場合には少なくとも一部が被覆されている第１の保護面（１０８）が露出される第２の筐体部分（１０６）と、
閉位置と開位置との間で回転するように前記第２の筐体部分（１０６）に回動自在に結合される第３の筐体部分（１１０、１０２）であって、該第３の筐体部分（１１０、１０２）が閉位置から開位置へ動かされることにより、該第３の筐体部分（１１０、１０２）が閉位置にある場合には少なくとも一部が被覆されている第２の保護面（１１２）が露出される第３の筐体部分（１１０、１０２）と、
ユーザにより加えられた第１の力に対応する前記第１の筐体部分（１０２、１１０）の摺動運動を防止する第１のロック機構（１５０）と、
前記第１のロック機構（１５０）の係合が解除された場合に、前記ユーザにより加えられた第１の力とは異なる第２の力に対応する前記第３の筐体部分（１１０、１０２）の回転を防止する第２のロック機構（１７０）と
を備えることを特徴とする携帯装置。
【請求項２】
前記第２の筐体部分（１０６）は前記第１の保護面（１０８）を含むことを特徴とする請求項１に記載の携帯装置。
【請求項３】
前記第２の筐体部分（１０６）は、前記第１の筐体部分（１０２）が閉位置にある場合には少なくとも一部が被覆され、前記第１の筐体部分（１０２）が開位置にある場合には露出される前記第１の保護面（１０８）に配置された第１の入力装置（１４２）を備えることを特徴とする請求項２に記載の携帯装置。
【請求項４】
前記第３の筐体部分（１１０）は前記第２の保護面（１１２）を含むことを特徴とする請求項３に記載の携帯装置。
【請求項５】
前記第３の筐体部分（１１０）は、該第３の筐体部分（１１０）が閉位置にある場合には少なくとも一部が被覆され、該第３の筐体部分（１１０）が開位置にある場合には露出される前記第２の保護面（１１２）に配置された第２の入力装置（１４４）を備えることを特徴とする請求項４に記載の携帯装置。
【請求項６】
前記第１の筐体部分（１０２）の外面にディスプレイ（１２６）を更に備えることを特徴とする請求項１に記載の携帯装置。
【請求項７】
前記第１の筐体部分（１１０）は前記第１の保護面（１０８）を含むことを特徴とする請求項１に記載の携帯装置。
【請求項８】
前記第１の筐体部分（１１０）が閉位置にある場合には少なくとも一部が被覆され、前記第１の筐体部分（１１０）が開位置にある場合には露出される前記第１の保護面（１０８）にある第１の入力装置（１４２）を更に備えることを特徴とする請求項７に記載の携帯装置。
【請求項９】
前記第２の筐体部分（１０６）は前記第２の保護面（１１２）を含むことを特徴とする請求項８に記載の携帯装置。
【請求項１０】
前記第３の筐体部分（１０２）が閉位置にある場合には少なくとも一部が被覆され、前記第３の筐体部分（１０２）が開位置にある場合には露出される前記第２の保護面（１１２）にある第２の入力装置（１４４）を更に備えることを特徴とする請求項９に記載の携帯装置。
【請求項１１】
前記第３の筐体部分（１０２）の外面にディスプレイ（１８０）を更に備えることを特徴とする請求項１０に記載の携帯装置。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
画像のシーケンスにおけるフェードを検出し、該画像はそれぞれが少なくとも一つの輝度値と関連する画素または像点を含む方法であって、
検出窓と呼ぶ連続的なＮ枚の画像の長さの窓の各画像、及び該検出窓に先行する画像について、各該画像の各該画素と関連する輝度値に基づいて輝度レベルを算出するステップ（１０）と、
前記検出窓の前記Ｎ枚の各画像について、該現在の画像の輝度レベル及び該現在の画像に先行する画像の輝度レベル間の輝度レベルの差異を算出するステップ（１１）と、
２≦ｋ≦Ｎにおいて、前記検出窓の少なくともｋ枚の画像で前記輝度レベルの差異が所定の閾値よりも高い場合、そこからの該検出窓に対するフェードの存在を推定するステップ（１２）と
を備えたことを特徴とする方法。
【請求項２】
画像の前記輝度レベルは、前記画像の各前記画素の輝度値の合計に等しいことを特徴とする請求項１に記載の方法。
【請求項３】
前記検出窓と関連する動作のレベルが所定の基準値より少ない場合、該検出窓のフェードの存在を確認するための追加的なステップ（１３）をさらに備えることを特徴とする請求項１又は２のいずれか一つに記載の方法。
【請求項４】
画像と関連する前記動作のレベルは、前記画像及び先行画像と呼ばれる該画像に先行する画像の間で算出される時間的活動、及び、該画像に対して算出される空間的活動間の比率に等しく、前記決定窓と関連する動作のレベルは、前記決定窓の最後の画像と関連する動作のレベルに等しいことを特徴とする請求項３に記載の方法。
【請求項５】
前記画像及び前記先行する画像間の前記時間的活動は、前記画像の各画素と関連する輝度値及び前記先行する画像の各画素と関連する輝度値の間の画素に関する差異の絶対値の合計に等しく、該画像の空間的活動は、該画像の各画素と関連する輝度値の絶対値の合計に等しいことを特徴とする請求項４に記載の方法。
【請求項６】
それぞれが少なくとも一つの輝度値と関連する画素または像点を有する画像のシーケンスにおけるフェードを検出する装置であって、
検出窓と呼ばれる連続的なＮ枚の画像の長さの窓の各画像、及び該検出窓に先行する画像について、各該画像の各該画素と関連する輝度値に基づいて輝度レベルを算出するための算出手段（３２、３３、３４）と、
前記検出窓の前記Ｎ枚の各画像について、前記現在の画像の輝度レベル及び該現在の画像に先行する画像の輝度レベル間の輝度レベルの差異を算出するための算出手段（３２、３３、３４）と、
２≦ｋ≦Ｎにおいて、前記検出窓の少なくともｋ枚の画像で前記輝度レベルの差異が所定の閾値よりも高い場合、該検出窓に対するフェードの存在を推定する手段（３２、３３、３４）と
を備えたことを特徴とする装置。
【請求項７】
符号化手段（４１）及び請求項６に記載のフェード（３０）を検出する装置を備えることを特徴とするビデオ符号化デバイス（４０）。
【請求項８】
指数化手段（５１）及び請求項６に記載のフェードを検出する装置（３０）を備えることを特徴とする画像のシーケンスを構築する装置（５０）。
【手続補正２】
【補正対象書類名】明細書
【補正対象項目名】発明の名称
【補正方法】変更
【補正の内容】
【発明の名称】画像シーケンスでフェードを検出するための方法及び装置
【手続補正３】
【補正対象書類名】明細書
【補正対象項目名】０００１
【補正方法】変更
【補正の内容】
【０００１】
本発明は、画像シーケンスでフェード（fade）を検出するための方法及び装置に関する。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
２００ＭＨｚを超える周波数で動作するための誘電体装荷アンテナであって、
横断方向に広がる端面および前記端面間で長手方向に広がる側面を有する、５より大きい相対誘電率の固体材料の、電気絶縁性コアと、
前記コアの前記側面の上にまたは前記側面に隣接するように設けられ一方の前記端面からもう一方の前記端面へと伸びる少なくとも１対の細長い導電性アンテナ素子を含む、３次元のアンテナ素子構造と、
前記アンテナ素子対の一方のアンテナ素子およびもう一方のアンテナ素子にそれぞれ結合された第１および第２の給電接続導体を含む、給電接続と、
前記アンテナ素子対の前記アンテナ素子間に結合された分路キャパシタンスを含む、整合部位と、
を備えるアンテナ。
【請求項２】
請求項１に記載のアンテナであって、
前記整合部位は、更に、前記キャパシタンスと、前記アンテナ素子対の前記アンテナ素子の１つと、の間に結合された直列インダクタンスを含み、
前記コアは、円筒状であり、
前記アンテナ素子対の前記アンテナ素子は、前記一方の端面から前記円筒状の側面の上でそれぞれ伸びる導電性の螺旋軌道を含み、
前記アンテナ素子構造は、前記コアの前記一方の端面から離れた位置にある前記アンテナ素子の端を相互に接続する、前記コアを取り巻くリンク導体を含む、アンテナ。
【請求項３】
請求項２に記載のアンテナであって、
前記伝送線路部位は、前記アンテナ素子構造によって表される電源インピーダンスよりも高い特性インピーダンスを有し、
前記伝送線路部位は、前記コア内を一方の端面からもう一方の端面へと通る通路内に収容される、アンテナ。
【請求項４】
請求項１ないし３のいずれかに記載のアンテナであって、
前記整合部位は、前記コアの前記一方の端面に固定された積層基板を含み、
前記積層基板は、横断方向に広がり、
前記アンテナは、前記積層基板に固定され前記積層基板に垂直に伸びる伝送線路給電線
を備え、
前記積層基板は、絶縁層と、前記絶縁層の対面上に並置された第１および第２の導電層と、を含み、前記キャパシタンスは、前記並置された層によって形成され、
前記絶縁層は、セラミック材料を含み、
前記絶縁層の相対誘電率は、５より大きい、アンテナ。
【請求項５】
２００ＭＨｚを超える周波数で動作するためのバックファイヤ型誘電体装荷アンテナであって、
軸方向を向いた近位面および遠位面と、円筒状の側面とを有する、５より大きい相対誘電率の固体材料の、円筒状の電気的絶縁性コアと、
前記コアの前記側面の上にまたは前記側面に隣接するように設けられ前記コアの前記遠位面から前記近位面の方向へとそれぞれ伸びる少なくとも１対の細長い導電性アンテナ素子を含む、３次元のアンテナ素子構造と、
前記アンテナ素子対の一方のアンテナ素子に結合された第１の導体および前記アンテナ素子対のもう一方のアンテナ素子に結合された第２の導体を一端に有する、伝送線路部位と、前記伝送線路部位の前記一端に関連付けられた、少なくとも１つのリアクタンス整合素子を含む積層基板の形態をとる、整合部位と、の組み合わせを含む、給電構造と、
を備えるアンテナ。
【請求項６】
請求項５に記載のアンテナであって、
前記積層基板は、前記コアの前記軸に垂直に置かれる、アンテナ。
【請求項７】
請求項５または６に記載のアンテナであって、
前記積層基板は、前記基板の少なくとも１枚の導電層によって形成される少なくとも１つのリアクタンス整合素子を含む、アンテナ。
【請求項８】
請求項６または７に記載のアンテナであって、
前記積層基板は、少なくとも１つの集中型のリアクタンス整合素子を含み、
前記集中型のリアクタンス素子は、前記基板上の導電性パッド上に取り付けられるコンデンサを含み、
前記リアクタンス素子は、前記アンテナ素子対の前記アンテナ素子間に接続された分路リアクタンス、および／またはインダクタンス整合素子である、アンテナ。
【請求項９】
請求項８に記載のアンテナであって、
前記整合部位は、前記分路リアクタンスと前記アンテナ素子対の前記アンテナ素子の１つとの間、または前記分路リアクタンスと前記伝送線路部位の前記導体の１つとの間に直列に接続されるリアクタンスを含む、第２のリアクタンス素子を含む、アンテナ。
【請求項１０】
請求項５ないし９のいずれかに記載のアンテナであって、
前記伝送線路部位は、同軸給電線である、アンテナ。
【請求項１１】
請求項５ないし１０のいずれかに記載のアンテナであって、
前記アンテナ素子構造は、前記コアの前記側面の上にまたは前記側面に隣接するように設けられ前記コアの前記遠位面から前記近位面の方向へと伸びる少なくとも２対の細長い導電性アンテナ素子を含み、前記第１の伝送線路導体は、前記２つのアンテナ素子対の各対の一方のアンテナ素子に結合され、前記第２の伝送線路導体は、前記２つのアンテナ素子対の各対のもう一方のアンテナ素子に結合され、
前記リアクタンス整合素子は、前記２つのアンテナ素子対の各対の前記アンテナ素子間に、分路素子として結合される、アンテナ。
【請求項１２】
誘電体装荷アンテナの絶縁性コアの中の通路内に滑り装着するための単一のアンテナ給電構造であって、
前記コアの前記通路内に挿入するための一定の長さの伝送線路と、
前記伝送線路の遠端から外向きに広がる積層基板と、
の単一の組み合わせを備え、
前記積層基板は、
前記通路の一端に隣接する前記アンテナコア上の導体との接続のための近位向きの導電性部分を有する近位面であって、前記近位向きの導電性表面は、前記伝送線路の導体と電気的に通じている、近位面を含む、アンテナ。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
映画フィルムの保管方法であって、
前記映画フィルムから、少なくとも１つの画像に対応する少なくとも１つの基準画像セットを、デジタルフォーマットでキャプチャするステップと、
オリジナルカメラネガから前記デジタルフォーマットでキャプチャした未処理画像、及び、前記未処理画像の修正版である処理済画像を含む様に、前記少なくとも１つの基準画像セットを選択するステップと、
前記少なくとも１つの基準画像セットを、基準フィルム媒体に記録するステップと、
を備えている方法。
【請求項２】
前記映画の複数のシーンのそれぞれに含まれる画像に、それぞれが基づいている、複数の前記基準画像セットをキャプチャするステップを更に備えている請求項１に記載の方法。
【請求項３】
前記映画の前記複数のシーンのそれぞれから、少なくとも３つの基準画像セットをキャプチャするステップを更に備えている請求項２に記載の方法。
【請求項４】
前記少なくとも３つの基準画像セットそれぞれの画像を、前記シーンそれぞれの、開始部分、終了部分及び中間部分から選択するステップを更に備えている請求項３に記載の方法。
【請求項５】
前記フィルム媒体から、前記基準画像のために、イエロー、シアン及びマゼンダ層の少なくとも１つのコンテンツを個別にキャプチャして、複数のモノクローム分解体を作成するステップを更に備えている請求項１に記載の方法。
【請求項６】
少なくとも一人の創作者の芸術的意図に関する談話情報を記録するステップを更に備えている請求項１に記載の方法。
【請求項７】
前記映画の監督及び写真監督からなるグループから、前記創作者を選択し、前記創作者が、前記映画の複数の識別されたシーンそれぞれを見ながら、前記談話情報を、非構造会話オーディオフォーマットで記録するステップを更に備えている請求項６に記載の方法。
【請求項８】
特定シーンの色補正及び好ましいライティングからなるグループから、前記芸術的意図を選択するステップを更に備えている請求項６に記載の方法。
【請求項９】
前記処理済画像として、色補正、パン及びスキャン移動、並びに、効果ショットの挿入の修正が施された画像を含む様に選択するステップを更に備えている請求項１に記載の方法。
【請求項１０】
映画の作成に使用するオリジナルカメラネガの、イエロー、シアン及びマゼンダ層のコンテンツをキャプチャして、複数のモノクローム分解体を作成するステップを更に備えている請求項１に記載の方法。
【請求項１１】
フレームカウント、オリジナルカメラネガのキーコード、サイズ変更及び位置のデータ、並びに、特殊効果データからなるグループから選択されたメタデータを、前記基準フィルム媒体に記録するステップを更に備えている請求項１に記載の方法。
【請求項１２】
映画保管製品であって、
（ａ）映画の作成に使用するオリジナルカメラネガの、イエロー、シアン及びマゼンダ層のコンテンツをキャプチャした複数のモノクローム分解体と、
（ｂ）複数の基準画像セットを有するキー・フレーム・フィルム・リールであって、前記基準画像セットは、
（ｉ）デジタル中間データフォーマットからフィルムにキャプチャされ、前記映画フィルムの複数のシーンそれぞれからの少なくとも１つの未処理画像、及び、フィルムにキャプチャされる前のデジタル中間プロセスにおいて修正された、前記未処理画像の修正版である処理済画像を含む、キー・フレーム・フィルム・リールと、
（ｃ）前記基準画像セットのために、イエロー、シアン及びマゼンダ層の少なくとも１つのコンテンツを個別にキャプチャして、前記キー・フレーム・フィルム・リールから生成した複数のモノクローム分解体と、
を備えている映画保管製品。
【請求項１３】
前記キー・フレーム・フィルム・リールに記録され、フレームカウント、オリジナルカメラネガのキーコード、サイズ変更及び位置のデータ、並びに、特殊効果データからなるグループから選択されたメタデータを更に備えている請求項１２に記載の映画保管製品。
【請求項１４】
少なくとも３つの基準画像セットが、前記映画の前記複数のシーンのそれぞれのために、前記キー・フレーム・リールに設けられている請求項１２に記載の映画保管製品。
【請求項１５】
記録媒体に記録され、前記映画の創作に関係する少なくとも一人の創作者の芸術的意図に関する情報を含む談話情報を更に備えている請求項１２に記載の映画保管製品。
【手続補正書】
【提出日】平成21年5月20日(2009.5.20)
【手続補正１】
【補正対象書類名】明細書
【補正対象項目名】００１６
【補正方法】変更
【補正の内容】
【００１６】
再び図１ａを参照すると、データストラクチャまたはインターフェース１００は、開始セグメントまたはシーケンス１１０、データセグメント１２０、および終了セグメントまたはシーケンス１３０を含む。インターフェースのバイナリ状態は、状態Ａ（参照番号１５５）および状態Ｂ（参照番号１５２）として定義づけられ得る。これらの状態は、ビットストリーム内の各ビットが設定されたクロック周期１４０において転送されるビットストリームを示す。インターフェースは、データ転送前は、状態Ｂ（１５２）（バイナリ０）であり、データ転送後は、状態Ａ（１５５）（バイナリ１）に保持される。開始シーケンス１１０において、インターフェースは、Ａ（バイナリ１）と、Ａ（バイナリ１）から開始されるＢ（バイナリ０）からなるＸ個の代替ビットを転送する。データセグメント１２０において、インターフェースは、Ｚ個のビットのデータと通信する。通信されたデータがＹ個以上の連続Ｂビットを有していれば必ず、エスケープシーケンス（図示しない）が転送される。Ｙ個以上の連続Ｂビットが存在していれば、更なるＢビットが転送される。これによって、インターフェースが、終了シーケンス１３０において、Ｙ個の連続Ａビットを転送するだけでよいことが確実とされる。終了シーケンス１３０において、インターフェースは、（Ｙ＋１）個のビットを転送する。即ち、各Ａビットの後にＹＢビットが続く。
【手続補正２】
【補正対象書類名】明細書
【補正対象項目名】００２０
【補正方法】変更
【補正の内容】
【００２０】
さらに、例えば、図５に示されているように、コンピュータシステム５００のスクリーン部５０３からＰＡＤ５１０まで、ビットストリームを転送している間、インターフェースのバイナリ状態は、スクリーン部５０３のディスプレイと対応し得る。スクリーン部５０３は、状態Ｂにおいて、ブラックスクリーン部を表示し、状態Ａにおいて、ホワイトスクリーン部を表示する。図１ａに示されたデータストラクチャにおいて、これは、状態Ｂ（１５２）（バイナリ０）においてスクリーン部５０３（図５）がブラックスクリーンを表示し、状態Ａ（１５５）（バイナリ１）においてスクリーン部５０３がホワイトスクリーンを表示することを表すスケール１５０によって図示される。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
ユーザが定義した即時送信アドレスを保存するメモリ(116)と、
即時送信機能(115)のユーザによる起動に応答して、アクティブなメディアファイル(150)を前記即時送信アドレスへ自動送信するように構成された送受信機回路(118)とを有することを特徴とする移動端末(100)。
【請求項２】
前記メモリ(116)が、メディアファイルの異なる形式に対して異なる即時送信アドレスを保存するように構成されることを特徴とする請求項１記載の移動端末(100)。
【請求項３】
前記送受信機回路(118)が、前記アクティブなメディアファイル(150)のメディア形式に対応する前記即時送信アドレスへ前記アクティブなメディアファイル(150)を自動送信するように構成されることを特徴とする請求項２記載の移動端末(100)。
【請求項４】
前記メモリ(116)が、異なる移動端末アプリケーションに対して異なる即時送信アドレスを保存するように構成されることを特徴とする請求項１記載の移動端末(100)。
【請求項５】
前記送受信機回路(118)が、現在の移動端末アプリケーションに対応する前記即時送信アドレスへ前記アクティブなメディアファイル(150)を自動送信するように構成されることを特徴とする請求項４記載の移動端末(100)。
【請求項６】
移動端末(100)からマルチメディアメッセージを自動送信するための方法であって、
ユーザが定義した即時送信アドレスを移動端末(100)のメモリ(116)に保存するステップと、
即時送信機能(115)のユーザによる起動に応答して、アクティブなメディアファイル(150)を前記即時送信アドレスへ自動送信するステップとを有することを特徴とする方法。
【請求項７】
ユーザが定義した即時送信アドレスを保存するステップが、メディアファイルの異なる形式に対して異なる即時送信アドレスを保存するステップを有することを特徴とする請求項６記載の方法。
【請求項８】
前記アクティブなメディアファイル(150)を自動送信するステップが、前記アクティブなメディアファイル(150)のメディア形式に対応する前記即時送信アドレスへ前記アクティブなメディアファイル(150)を自動送信するステップを有することを特徴とする請求項７記載の方法。
【請求項９】
ユーザが定義した即時送信アドレスを保存するステップが、異なる移動端末アプリケーションに対して異なる即時送信アドレスを保存するステップを有することを特徴とする請求項６記載の方法。
【請求項１０】
前記アクティブなメディアファイル(150)を自動送信するステップが、現在の移動端末アプリケーションに対応する前記即時送信アドレスへ前記アクティブなメディアファイル(150)を自動送信するステップを有することを特徴とする請求項９記載の方法。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
通信リンクであって、
システム側巻線およびライン側巻線を有する変圧器を含む、分離バリアと、
前記変圧器のシステム側巻線に接続された、システム側インターフェース回路と、
前記変圧器のライン側巻線に接続された、ライン側インターフェース回路と
を備え、前記システム側インターフェース回路は、前記変圧器を跨って前記ライン側インターフェース回路へ信号を送信することができ、前記信号は、（ｉ）データ内容、および（ｉｉ）前記ライン側インターフェース回路の電気的負荷のかなりの部分を供給するためのエネルギーを含む、通信リンク。
【請求項２】
前記信号が、前記ライン側インターフェース回路の電気的負荷の約３０％より大きなエネルギー量を有する、請求項１に記載の通信リンク。
【請求項３】
前記分離バリアが、実質的に単一の変圧器からなる、請求項１に記載の通信リンク。
【請求項４】
前記ライン側インターフェース回路が、
前記変圧器のライン側巻線に接続された出力端を有する、第１のライン側バッファと、
前記変圧器のライン側巻線に接続された、ライン側受信バッファとを備え、
前記システム側インターフェース回路が、
前記変圧器のシステム側巻線に接続された出力端を有する、第１のシステム側バッファと、
前記変圧器のシステム側巻線に接続された、システム側受信バッファとを備える、請求項１に記載の通信リンク。
【請求項５】
前記ライン側インターフェース回路が、
前記変圧器の前記ライン側巻線に接続されたライン側整流器と、
前記ライン側整流器に接続された蓄積素子と
をさらに備える、請求項４に記載の通信リンク。
【請求項６】
システム側巻線およびライン側巻線を有する変圧器を含む分離バリアを介して接続された、システム側回路からライン側回路にデータおよび電力を伝達する方法であって、
（ｉ）データ内容、および（ｉｉ）ライン側回路の電気的負荷のかなりの部分を供給するためのエネルギーを含む、第１の信号を前記変圧器のシステム側巻線中に入力するステップと、
前記変圧器のシステム側巻線での前記第１の信号を、前記変圧器のライン側巻線での第１の変換された信号に変換するステップと、
前記第１の変換された信号の一部分を受信バッファに供給するステップと、
第１の整流された信号を生成するために、前記第１の変換された信号の他の部分を整流するステップと、
前記第１の整流された信号を蓄積するステップと
を含む方法。
【請求項７】
前記信号が、前記ライン側インターフェース回路の電気的負荷の約３０％より大きなエネルギー量を有する、請求項６に記載の方法。
【請求項８】
前記分離バリアが、実質的に単一の変圧器からなる、請求項６に記載の方法。
【請求項９】
信号により電力が供給される集積回路であって、
接地ノード、供給ノード、およびデータ内容および所定のエネルギーを有する入力信号を受信するための第１の端子を含む、集積回路ダイと、
前記集積回路ダイ上に形成され、前記第１の端子に接続され、前記入力信号に付随するデータ内容を受信することができる、受信バッファと、
前記集積回路ダイ上に形成された整流器であって、
前記第１の端子と前記接地ノードの間に接続された第１のダイオードと、
前記第１の端子と前記供給ノードの間に接続された第２のダイオードと
を含み、
前記入力信号を整流し、前記入力信号の所定のエネルギーの少なくとも一部分を供給ノードに渡すことができ、
前記第１および第２のダイオードのそれぞれは、ＥＳＤインパルスに耐えることができる、整流器と
を備える集積回路。
【請求項１０】
前記整流器内の各ダイオードが、少なくとも約１０００ボルトのＥＳＤインパルスに耐えることができる、請求項９に記載の回路。
【請求項１１】
前記第１および第２のダイオードが、それぞれ第１のトランジスタおよび第２のトランジスタ内の寄生ダイオードである、請求項９に記載の回路。
【請求項１２】
前記入力信号の平均エネルギーが、前記第１および第２のダイオードを整流器として動作させるのに十分大きい、請求項９に記載の回路。
【請求項１３】
前記入力信号は、第１の信号と、前記第１の信号に対して相補形な第２の信号によって形成される差動入力信号であり、前記第１の端子は前記第１の信号を受信することができ、
前記集積回路ダイは、前記第２の信号を受け取ることができる第２の端子をさらに含み、
前記整流器は、
前記第２の端子と前記接地ノードの間に接続された第３のダイオードと、
前記第２の端子と前記供給ノードの間に接続された第４のダイオードと
をさらに含み、
前記第１、第２、第３、および第４のダイオードは全体で前記差動入力信号の全波整流を実現し、
前記第３および第４のダイオードのそれぞれは、ＥＳＤインパルスに耐えることができる、請求項９に記載の回路。
【請求項１４】
集積回路に電力供給する方法であって、
前記集積回路の第１の端子にて、データ内容および所定のエネルギーを有する第１の入力信号を受信するステップと、
前記集積回路の前記第１の端子と接地ノードの間に接続された第１のダイオード、および前記集積回路の前記第１の端子と供給ノードの間に接続された第２のダイオードにより、前記第１の入力信号の一部分を整流するステップと、
前記供給ノードにて、前記第１の入力信号の所定のエネルギーの少なくとも一部分を蓄積するステップとを含み、
前記第１および第２のダイオードのそれぞれは、ＥＳＤインパルスに耐えることができる方法。
【請求項１５】
前記整流器内の各ダイオードが、少なくとも約１０００ボルトのＥＳＤインパルスに耐えることができる、請求項１４に記載の回路。
【請求項１６】
前記第１および第２のダイオードが、それぞれ第１のトランジスタおよび第２のトランジスタ内の寄生ダイオードである、請求項１４に記載の方法。
【請求項１７】
実質的に前記第１および第２のダイオードにより、前記第１の端子を通る静電放電から前記集積回路を保護するステップをさらに含む、請求項１４に記載の方法。
【請求項１８】
前記集積回路の第２の端子にて、データ内容および所定のエネルギーを有し、前記第１の入力信号と共に差動入力信号を形成する、第２の入力信号を受信するステップと、
前記第２の入力信号に付随するデータ内容をバッファするステップと、
前記集積回路の前記第２の端子と前記接地ノードの間に接続された第３のダイオード、および前記集積回路の前記第２の端子と前記供給ノードの間に接続された第４のダイオードにより、前記第２の入力信号の一部分を整流するステップであって、各ダイオードはＥＳＤインパルスに耐えることができる、ステップと、
前記供給ノードにて、前記第２の入力信号の所定のエネルギーの少なくとも一部分を蓄積するステップと
をさらに含み、それにより前記差動入力信号を全波整流する、請求項１４に記載の方法。